(57)【要約】【課題】バスバーのインダクタンスを抑制し、サージの発生を容易に抑制することができる平滑コンデンサモジュール、及びこれを用いた小型化が容易な電力変換装置を提供すること。【解決手段】直流電源出力を平滑化するための平滑コンデンサモジュール２において、コンデンサ素子をモールド材２２によってモールドしてなると共に、コンデンサ素子の一対の電極及び直流電源の正極と負極とにそれぞれ電気的に接続される正極バスバー３１と負極バスバー３２とを有してなる。正極バスバー３１及び負極バスバー３２は、その少なくとも一部において、絶縁紙２３を介在させた状態で互いに対向配置されている。絶縁紙２３の一部はモールド材２２に埋設してある。【選択図】図１
2008099397.tif 000002
【特許請求の範囲】
【請求項１】
直流電源出力を平滑化するための平滑コンデンサモジュールにおいて、
コンデンサ素子をモールド材によってモールドしてなると共に、上記コンデンサ素子の一対の電極及び直流電源の正極と負極とにそれぞれ電気的に接続される正極バスバーと負極バスバーとを有してなり、
上記正極バスバー及び上記負極バスバーは、その少なくとも一部において絶縁部材を介在させた状態で互いに対向配置されており、
上記絶縁部材の一部は上記モールド材に埋設してあることを特徴とする平滑コンデンサモジュール。
【請求項２】
請求項１において、上記正極バスバー及び上記負極バスバーは、その一部を上記モールド材に埋設してなることを特徴とする平滑コンデンサモジュール。
【請求項３】
請求項２において、上記正極バスバー及び上記負極バスバーは、上記モールド材に埋設された中間部と、該中間部の両端側に連続形成され上記モールド材の外に存在する露出部とを有することを特徴とする平滑コンデンサモジュール。
【請求項４】
請求項２又は３において、上記正極バスバー及び上記負極バスバーは、上記コンデンサ素子を互いの間に配する状態で、その一部を上記モールド材に埋設していることを特徴とする平滑コンデンサモジュール。
【請求項５】
請求項１〜４のいずれか一項において、上記正極バスバー及び上記負極バスバーは、互いに絶縁部材を介して対向配置される対向部と、該対向部よりも先端側において互いに対向しない端子部とを有することを特徴とする平滑コンデンサモジュール。
【請求項６】
スイッチング素子を内蔵し、該スイッチング素子のスイッチングにより電力変換を行うスイッチングパワー部を有する電力変換装置であって、
上記スイッチングパワー部が、請求項１〜５のいずれか一項に記載の平滑コンデンサモジュールの上記正極バスバーと上記負極バスバーとに接続されていることを特徴とする電力変換装置。
【請求項７】
請求項６において、上記スイッチングパワー部は複数のスイッチングパワーモジュールを有し、該各スイッチングパワーモジュールには、上記平滑コンデンサモジュールの本体部から複数に分岐して形成された上記正極バスバー及び上記負極バスバーがそれぞれ接続されていることを特徴とする電力変換装置。
【発明の詳細な説明】
【技術分野】
【０００１】
本発明は、直流電源出力を平滑化するための平滑コンデンサモジュール及びこれを用いた電力変換装置に関する。
【背景技術】
【０００２】
従来より、電源から供給される直流電力を、スイッチング素子のスイッチングにより、交流電力に変換する、インバータ等の電力変換装置がある。
該電力変換装置は、スイッチング素子を内蔵し電力を変換するためのスイッチングパワー部を有し、該スイッチングパワー部と直流電源との間には、直流電源出力を平滑化する平滑コンデンサが配設されている。
そして、直流電源と平滑コンデンサとスイッチングパワー部とは、バスバーによって接続されており、該バスバーを被制御電流が流れる。
【０００３】
この被制御電流は、上記スイッチング素子のスイッチング動作により、各バスバーに流れたり遮断されたりする。これにより、バスバーのインダクタンスに起因して、サージが発生してしまうおそれがある。
そこで、このサージを吸収すべく、電力変換装置にはスナバコンデンサが接続されている。
ところが、スナバコンデンサを配置することにより、電力変換装置の小型化、低コスト化を妨げる要因となるおそれがある。
【０００４】
また、スイッチング時に生じるサージを抑制するために、平滑コンデンサをセラミックコンデンサによって構成した電力変換装置が開示されている（特許文献１）。
しかしながら、上記電力変換装置においては、平滑コンデンサに用いることができるコンデンサがセラミックコンデンサに限られてしまい、設計上の制約が生じるおそれがあるという問題がある。
【０００５】
【特許文献１】特許第３４８４１２２号公報
【発明の開示】
【発明が解決しようとする課題】
【０００６】
本発明は、かかる従来の問題点に鑑みてなされたもので、バスバーのインダクタンスを抑制し、サージの発生を容易に抑制することができる平滑コンデンサモジュール、及びこれを用いた小型化が容易な電力変換装置を提供しようとするものである。
【課題を解決するための手段】
【０００７】
第１の発明は、直流電源出力を平滑化するための平滑コンデンサモジュールにおいて、
コンデンサ素子をモールド材によってモールドしてなると共に、上記コンデンサ素子の一対の電極及び直流電源の正極と負極とにそれぞれ電気的に接続される正極バスバーと負極バスバーとを有してなり、
上記正極バスバー及び上記負極バスバーは、その少なくとも一部において絶縁部材を介在させた状態で互いに対向配置されており、
上記絶縁部材の一部は上記モールド材に埋設してあることを特徴とする平滑コンデンサモジュールにある（請求項１）。
【０００８】
次に、本発明の作用効果につき説明する。
上記平滑コンデンサモジュールにおいては、上記正極バスバーと上記負極バスバーとが互いに対向した状態で配設されている。これにより、上記正極バスバーと上記負極バスバーとに流れる電流が逆方向となるために発生する相互インダクタンスによって、それぞれのバスバーにおけるインダクタンスを抑制することができる。そのため、上記正極バスバー及び負極バスバーにおいて急激な電流変化が生じても、サージが発生することを抑制することができる。
【０００９】
また、上記正極バスバーと上記負極バスバーとの少なくとも一部は、絶縁部材を介在させた状態で互いに対向配置されている。そのため、正極バスバーと負極バスバーとの短絡を防止することができ、ひいては、正極バスバーと負極バスバーとを近接して対向させることができる。これにより、上記相互インダクタンスを効果的に発生させることができ、各バスバーのインダクタンスを抑制することができる。その結果、サージを効果的に抑制することができる。
【００１０】
また、上記絶縁部材の一部は上記モールド材に埋設してあるため、絶縁部材を所定の位置からずれることを防ぐことができる。それ故、正極バスバーと負極バスバーとの短絡を確実に防ぐことができる。特に、平滑コンデンサモジュールの振動や、平滑コンデンサモジュールを搭載した車両等の振動により、絶縁部材の位置ずれが生じることを充分に防ぐことができ、正極バスバーと負極バスバーとの短絡を確実に防ぐことができる。
【００１１】
このように、上記正極バスバーと上記負極バスバーとを絶縁部材を介在させた状態で互いに対向配置し、上記絶縁部材の一部を上記モールド材に埋設したことにより、正極バスバーと負極バスバーとの短絡を確実に防止しつつ、両バスバーを充分に近接させて対向配置してサージを充分に抑制することができる。
【００１２】
また、サージを抑制するために特に新たな部品を接続する必要がなく、容易にサージを抑制することができる。
そして、本発明にかかる平滑コンデンサモジュールを電力変換装置に用いることにより、サージを吸収するためにスナバコンデンサを配設する必要がなくなり、電力変換装置の小型化、低コスト化を実現することが可能となる。
【００１３】
以上のごとく、本発明によれば、バスバーのインダクタンスを抑制し、サージの発生を容易に抑制することができる平滑コンデンサモジュールを提供することができる。
【００１４】
第２の発明は、スイッチング素子を内蔵し、該スイッチング素子のスイッチングにより電力変換を行うスイッチングパワー部を有する電力変換装置であって、
上記スイッチングパワー部が、上記第１の発明の平滑コンデンサモジュールの上記正極バスバーと上記負極バスバーとに接続されていることを特徴とする電力変換装置にある（請求項６）。
【００１５】
次に、本発明の作用効果につき説明する。
上述したごとく、電力変換装置においては、スイッチング素子のスイッチングにより、正極バスバー及び負極バスバーにサージが発生するおそれがある。そこで、上記スイッチングパワー部と接続する正極バスバー及び負極バスバーを有する平滑コンデンサモジュールを上記第１の発明の平滑コンデンサモジュールによって構成したことにより、バスバーのインダクタンスを抑制し、サージの発生を容易に抑制することができる。
そして、その結果、電力変換装置に、サージを吸収するためのスナバコンデンサを配設する必要がなくなり、電力変換装置の小型化、低コスト化を容易に図ることができる。
【００１６】
以上のごとく、本発明によれば、バスバーのインダクタンスを抑制し、サージの発生を容易に抑制することができる小型化が容易な電力変換装置を提供することができる。
【発明を実施するための最良の形態】
【００１７】
上記第１の発明（請求項１）及び上記第２の発明（請求項６）において、上記コンデンサ素子は、例えば、フィルムコンデンサ、セラミックコンデンサ等を用いることができる。
また、上記絶縁部材としては、シート状の絶縁紙を用いることが好ましい。即ち、正極バスバー及び負極バスバーのインダクタンスを抑制するためには、両バスバーの対向面積が大きく、間隔が狭いほど効果が大きい。それ故、両バスバーの対向面積を大きく、間隔を狭くするためには、厚みが小さくシート状である絶縁紙を用いることが好適である。
また、絶縁紙としては、例えば、ＰＰフィルム、樹脂フィルム等を積層してなる絶縁紙を用いることができる。
【００１８】
また、上記電力変換装置は、例えば電気自動車やハイブリッド自動車等の動力源である交流モータに通電する駆動電流の生成に用いることができる。
また、上記スイッチング素子は、例えば、ＩＧＢＴ（Insulated  Gate  Bipolar  Transistor）素子等の半導体素子によって構成することができる。
【００１９】
また、上記正極バスバー及び上記負極バスバーは、その一部を上記モールド材に埋設してなることが好ましい（請求項２）。
この場合には、上記正極バスバー及び上記負極バスバーが、上記平滑コンデンサモジュールに一体化された状態となるため、例えば、振動等が生じても、上記正極バスバーと上記負極バスバーとの近接状態を確保することが容易となる。また、組み付け時における平滑コンデンサモジュールの取扱いが容易になる。
【００２０】
また、上記正極バスバー及び上記負極バスバーは、上記モールド材に埋設された中間部と、該中間部の両端側に連続形成され上記モールド材の外に存在する露出部とを有することが好ましい（請求項３）。
この場合には、一方の露出部に直流電源の電極を接続し、他方の露出部にスイッチングパワー部を接続することができる。
【００２１】
また、上記正極バスバー及び上記負極バスバーは、上記コンデンサ素子を互いの間に配する状態で、その一部を上記モールド材に埋設していることが好ましい（請求項４）。
この場合には、上記コンデンサ素子の一対の電極に、上記正極バスバー及び上記負極バスバーをそれぞれ容易に接続することができる。また、上記正極バスバー及び上記負極バスバーを、平滑コンデンサモジュールの本体に安定して固定することができる。
【００２２】
また、上記正極バスバー及び上記負極バスバーは、互いに絶縁部材を介して対向配置される対向部と、該対向部よりも先端側において互いに対向しない端子部とを有することが好ましい（請求項５）。
この場合には、上記端子部において、スイッチングパワーモジュール等の電子部品の正極と負極に容易に接続することができる。
【００２３】
また、上記スイッチングパワー部は複数のスイッチングパワーモジュールを有し、該各スイッチングパワーモジュールには、上記平滑コンデンサモジュールの本体部から複数に分岐して形成された上記正極バスバー及び上記負極バスバーが接続されていることが好ましい（請求項７）。
この場合には、正極バスバー及び負極バスバーを容易に形成することができる。また、正極バスバー及び負極バスバーと、スイッチングパワー部とを容易に接続することができる。その結果、製造容易な電力変換装置を得ることができる。
【実施例】
【００２４】
（実施例）
本発明の実施例にかかる平滑コンデンサモジュール及びこれを用いた電力変換装置につき、図１〜図３を用いて説明する。
本例の平滑コンデンサモジュール２は、図１、図２に示すごとく、コンデンサ素子２１をモールド材２２によってモールドしてなると共に、直流電源の正極と負極とにそれぞれ電気的に接続される正極バスバー３１と負極バスバー３２とを有してなる。
【００２５】
正極バスバー３１と負極バスバー３２との少なくとも一部は、絶縁部材としての絶縁紙２３を介在させた状態で互いに対向配置されている。
また、絶縁紙２３の一部はモールド材２２に埋設してある。
コンデンサ素子２１は、コンデンサケース２４の内側に複数個収納され、図２に示すごとく、コンデンサケース２４とコンデンサ素子２１との間に充填されたモールド材２２によってモールドされている。モールド材２２は、例えば、エポキシ系やウレタン系の樹脂からなる。
【００２６】
また、正極バスバー３１及び負極バスバー３２は、その一部をモールド材２２に埋設してなり、モールド材２２に埋設された中間部３１１、３２１と、該中間部３１１、３２１の両端側に連続形成されモールド材２２の外に存在する露出部３１２、３２２とを有する。
また、正極バスバー３１及び負極バスバー３２は、コンデンサ素子２１を互いの間に配する状態で、その一部（中間部３１１、３２１）をモールド材２２に埋設している。即ち、図２に示すごとく、正極バスバー３１の中間部３１１は、コンデンサ素子２１の上部においてモールド材２２に埋設されており、負極バスバー３２の中間部３２１は、コンデンサ素子２１の下部においてモールド材２２に埋設されている。
【００２７】
また、コンデンサ素子２１は、フィルムコンデンサからなる。そして、コンデンサ素子２１の巻回軸方向の両端面には、メタリコン金属が溶射されており、該メタリコン金属がコンデンサ素子２１の電極となる。巻回方向の両端面に配された一対の電極に、上記正極バスバー３１の中間部３１１と負極バスバー３２の中間部３２１とが、それぞれ接続されている。また、正極バスバー３１及び負極バスバー３２の中間部３１１、３２１は、それぞれ複数のコンデンサ素子２１の電極に対して一括して接触することができるようなプレート状に形成されている（図１参照）。
【００２８】
図１、図２に示すごとく、正極バスバー３１及び負極バスバー３２は、互いに絶縁紙２３を介して対向配置される対向部３１３、３２３と、該対向部３１３、３２３よりも先端側において互いに対向しない端子部３１４、３２４とを有する。
該対向部３１３、３２３及び端子部３１４、３２４は、正極バスバー３１及び負極バスバー３２における一方の露出部３１２、３２２において形成されている。
また、他方の露出部３１２、３２２は、直流電源１２（図３参照）の正極及び負極と接続される。
また、図２に示すごとく、絶縁紙２３は、その一端が正極バスバー３１及び負極バスバー３２と共に、モールド材２２に埋められている。また、絶縁紙２３は、正極バスバー３１及び負極バスバー３２の対向部３１３、３２３から端縁がはみ出るように配設されている。
【００２９】
上記平滑コンデンサモジュール２は、図１、図２に示すごとく、電力変換装置１の一部を構成する。
電力変換装置１は、スイッチング素子を内蔵し、該スイッチング素子のスイッチングにより電力変換を行うスイッチングパワー部１１を有する。
スイッチングパワー部１１は、平滑コンデンサモジュール２の正極バスバー３１と負極バスバー３２とに接続されている。そして、スイッチングパワー部１１の出力端子１１９に、交流モータ４（図３参照）に接続される出力バスバー４１がそれぞれ接続されている。
【００３０】
スイッチングパワー部１１は三相のスイッチングパワーモジュール１１Ｕ、１１Ｖ、１１Ｗを有し、該各スイッチングパワーモジュール１１Ｕ、１１Ｖ、１１Ｗには、平滑コンデンサモジュール２から３本に分岐して形成された正極バスバー３１Ｕ、３１Ｖ、３１Ｗ及び負極バスバー３２Ｕ、３２Ｖ、３２Ｗがそれぞれ接続されている。
より具体的には、正極バスバー３１Ｕ、３１Ｖ、３１Ｗ及び負極バスバー３２Ｕ、３２Ｖ、３２Ｗのそれぞれの端子部３１４、３２４において、各スイッチングパワーモジュール１１Ｕ、１１Ｖ、１１Ｗが正極バスバー３１Ｕ、３１Ｖ、３１Ｗ及び負極バスバー３２Ｕ、３２Ｖ、３２Ｗに接続されている。
【００３１】
正極バスバー３１Ｕ、３１Ｖ、３１Ｗ及び負極バスバー３２Ｕ、３２Ｖ、３２Ｗは、平行にかつ略同一長さに形成されている。
また、三相のスイッチングパワーモジュール１１Ｕ、１１Ｖ、１１Ｗは、それぞれＵ相、Ｖ相、Ｗ相の出力バスバー４１Ｕ、４１Ｖ、４１Ｗに接続され、三相の交流モータ４の各電極に電気的に接続されている。
【００３２】
また、図３の回路図に示すように、スイッチングパワーモジュール１１Ｕ、１１Ｖ、１１Ｗは、それぞれ、半導体素子１１１とダイオード１１２とからなるスイッチング素子１１３を２個ずつ内蔵してなる。半導体素子１１１としては、例えば、ＩＧＢＴ素子を用いることができ、ダイオード１１２としては、例えばフライホイールダイオードを用いることができる。
【００３３】
また、図２に示すごとく、スイッチングパワー部１１は、冷却器１３に接触配置されており、スイッチングパワー部１１において発熱した熱を、冷却器１３へ放熱することができるよう構成されている。また、スイッチングパワー部１１における各スイッチング素子１１３は、図示しない制御回路部によってスイッチングの制御が行われる。
これらのスイッチングパワー部１１、冷却器１３、制御回路部、平滑コンデンサモジュール２等の電力変換装置１の各要素は、ケース１４内に収容されている。
【００３４】
次に、本例の作用効果につき説明する。
上記平滑コンデンサモジュール２においては、正極バスバー３１と負極バスバー３２とが互いに対向した状態で配設されている。これにより、正極バスバー３１と負極バスバー３２とに流れる電流が逆方向となるために発生する相互インダクタンスによって、それぞれのバスバーにおけるインダクタンスを抑制することができる。そのため、正極バスバー３１及び負極バスバー３２において急激な電流変化が生じても、サージが発生することを抑制することができる。
【００３５】
また、正極バスバー３１と負極バスバー３２との少なくとも一部は、絶縁紙２３を介在させた状態で互いに対向配置されている。そのため、正極バスバー３１と負極バスバー３２との短絡を防止することができ、ひいては、正極バスバー３１と負極バスバー３２とを近接して対向させることができる。これにより、上記相互インダクタンスを効果的に発生させることができ、各バスバーのインダクタンスを抑制することができる。その結果、サージを効果的に抑制することができる。
【００３６】
また、絶縁紙２３の一部はモールド材２２に埋設してあるため、絶縁紙２３を所定の位置からずれることを防ぐことができる。それ故、正極バスバー３１と負極バスバー３２との短絡を確実に防ぐことができる。特に、平滑コンデンサモジュール２の振動や、平滑コンデンサモジュール２を搭載した車両等の振動により、絶縁紙２３の位置ずれが生じることを充分に防ぐことができ、正極バスバー３１と負極バスバー３２との短絡を確実に防ぐことができる。
【００３７】
このように、正極バスバー３１と負極バスバー３２とを絶縁紙２３を介在させた状態で互いに対向配置し、絶縁紙２３の一部をモールド材２２に埋設したことにより、正極バスバー３１と負極バスバー３２との短絡を確実に防止しつつ、両バスバーを充分に近接させて対向配置してサージを充分に抑制することができる。
【００３８】
また、本発明にかかる平滑コンデンサモジュール２を電力変換装置１に用いることにより、スイッチング時に発生するサージを吸収するためにスナバコンデンサ（図４、図５の符号９５参照）を配設する必要がなくなり、電力変換装置１の小型化、低コスト化を実現することが可能となる。
【００３９】
また、正極バスバー３１及び負極バスバー３２は、その一部をモールド材２２に埋設してなる。これにより、正極バスバー３１及び負極バスバー３２が、平滑コンデンサモジュール２に一体化された状態となるため、例えば、振動等が生じても、正極バスバー３１と負極バスバー３２との近接状態を確保することが容易となる。また、組み付け時における平滑コンデンサモジュール２の取扱いが容易になる。
【００４０】
また、正極バスバー３１及び負極バスバー３２は、モールド材２２に埋設された中間部３１１、３２１と、中間部３１１、３２１の両端側に連続形成されモールド材２２の外に存在する露出部３１２、３２２とを有する。これにより、一方の露出部３１２、３２２に直流電源１２の電極を接続し、他方の露出部３１２、３２２にスイッチングパワー部１１を接続することができる。
【００４１】
また、正極バスバー３１及び負極バスバー３２は、コンデンサ素子２１を互いの間に配する状態で、その一部をモールド材２２に埋設している。これにより、コンデンサ素子２１の一対の電極に、正極バスバー３１及び負極バスバー３２をそれぞれ容易に接続することができる。また、正極バスバー３１及び負極バスバー３２を、平滑コンデンサモジュール２の本体に安定して固定することができる。
【００４２】
また、正極バスバー３１及び負極バスバー３２は、互いに絶縁紙２３を介して対向配置される対向部３１３、３２３と、該対向部３１３、３２３よりも先端側において互いに対向しない端子部３１４、３２４とを有する。これにより、端子部３１３、３１４において、スイッチングパワー部１１の正極と負極に容易に接続することができる。
【００４３】
また、スイッチングパワー部１１は三相のスイッチングパワーモジュール１１Ｕ、１１Ｖ、１１Ｗを有し、該各スイッチングパワーモジュール１１Ｕ、１１Ｖ、１１Ｗには、平滑コンデンサモジュール２の本体部から複数に分岐して形成された正極バスバー３１Ｕ、３１Ｖ、３１Ｗ及び負極バスバー３２Ｕ、３２Ｖ、３２Ｗが接続されている。これにより、正極バスバー３１及び負極バスバー３２を容易に形成することができる。また、正極バスバー３１及び負極バスバー３２と、スイッチングパワー部１１とを容易に接続することができる。その結果、製造容易な電力変換装置１を得ることができる。
【００４４】
以上のごとく、本例によれば、バスバーのインダクタンスを抑制し、サージの発生を容易に抑制することができる平滑コンデンサモジュール及び小型化が容易な電力変換装置を提供することができる。
【００４５】
なお、上記実施例においては、スイッチングパワー部１１と接続する平滑コンデンサモジュール２の正極バスバー３１及び負極バスバー３２を、３本分岐した状態で設けた例を示したが、これら正極バスバー３１及び負極バスバー３２は、それぞれ一枚板の状態で平滑コンデンサモジュール２の本体部から延び、端子部３１４、３２４においてのみ、分岐していてもよい。この場合には、対向部３１３、３２３の面積が大きくなるため、インダクタンスの抑制を一層効果的に行うことができる。
【００４６】
また、上記実施例においては、スイッチングパワー部１１についても、２個のスイッチング素子１１３を内蔵するスイッチングパワーモジュール１１Ｕ、１１Ｖ、１１Ｗ（２ｉｎ１型）を３個用いたが、６個のスイッチング素子１１３を内蔵するスイッチングパワーモジュール（６ｉｎ１型）を１個用いてもよい。また、スイッチングパワー部１１がモジュール化されている必要は必ずしもない。
【００４７】
（比較例）
本例は、図４、図５に示すごとく、直流電源と平滑コンデンサ９２とスイッチングパワーモジュール９１とを接続する正極バスバー９３１と負極バスバー９３２とを互いに対向配置させることなく配線した電力変換装置９の例である。
該電力変換装置９においては、平滑コンデンサ９２における一対の端子が、上記正極バスバー９３１及び負極バスバー９３２にそれぞれ接続される。また、正極バスバー９３１及び負極バスバー９３２は、３個のスイッチングパワーモジュール９１Ｕ、９１Ｖ、９１Ｗをそれぞれ並列的に接続している。
【００４８】
この場合には、スイッチングパワー部９１におけるスイッチング素子のスイッチング動作により、正極バスバー９３１及び負極バスバー９３２におけるインダクタンスに起因して、サージが発生してしまうおそれがある。
そこで、このサージを抑制すべく、図４、図５に示すごとく、電力変換装置９には、正極バスバー９３１と負極バスバー９３２との間に、サージを吸収するスナバコンデンサ９５を接続している。
ところが、スナバコンデンサ９５を配置することにより、電力変換装置９の小型化、低コスト化を妨げる要因となるおそれがあるという問題がある。
【００４９】
これに対し、本発明の電力変換装置１は、上述のごとく、正極バスバー３１及び負極バスバー３２のインダクタンスを抑制することにより、スナバコンデンサを設けることなく、サージを抑制することができる。それ故、電力変換装置１の小型化、低コスト化を容易にすることができる。
【図面の簡単な説明】
【００５０】
【図１】実施例における、電力変換装置の平面説明図。
【図２】図１のＡ−Ａ線矢視断面図。
【図３】実施例における、電力変換装置の回路図。
【図４】比較例における、電力変換装置の平面説明図。
【図５】比較例における、電力変換装置の回路図。
【符号の説明】
【００５１】
１  電力変換装置
１１  スイッチングパワー部
１１Ｕ、１１Ｖ、１１Ｗ  スイッチングパワーモジュール
２  平滑コンデンサモジュール
２１  コンデンサ素子
２２  モールド材
２３  絶縁紙
３１、３１Ｕ、３１Ｖ、３１Ｗ  正極バスバー
３２、３２Ｕ、３２Ｖ、３２Ｗ  負極バスバー
【図１】
2008099397.tif 000003
【図２】
2008099397.tif 000004
【図３】
2008099397.tif 000005
【図４】
2008099397.tif 000006
【図５】
2008099397.tif 000007